(57)【要約】【課題】吸収性物品の装着時に、サイドシート７が吸収性物品中央側の端縁における長手方向の両端部から剥離するのを防止する。【解決手段】サイドシート７のナプキン中央側の側縁から側方側に離間した位置に、長手方向の全長に亘って接着部８が設けられ、生理用ナプキン１の長手方向両端部のそれぞれにおいて、サイドシート７のナプキン中央側の側縁における長手方向の端点Ａ及び前記接着部８のナプキン中央側の側縁における長手方向の端点Ｂを結んだ直線Ｓと、生理用ナプキン１の長手方向線Ｌとの成す角αを６５°以上で形成する。【選択図】図１
2019041868.tif 000002
【特許請求の範囲】
【請求項１】
肌側の両側部にそれぞれ長手方向に沿ってサイドシートが配設された吸収性物品において、
前記サイドシートの吸収性物品中央側の側縁から側方側に離間した位置に、長手方向の全長に亘って接着部が設けられ、前記吸収性物品の長手方向両端部のそれぞれにおいて、前記サイドシートの吸収性物品中央側の側縁における長手方向の端点及び前記接着部の吸収性物品中央側の側縁における長手方向の端点を結んだ直線と、吸収性物品の長手方向線との成す角αが６５°以上で形成されていることを特徴とする吸収性物品。
【請求項２】
前記角αが９０°より大きい角度で形成されている請求項１記載の吸収性物品。
【請求項３】
前記サイドシートは、吸収性物品中央側の側縁から前記接着部までの間が非接着部とされている請求項１、２いずれかに記載の吸収性物品。
【請求項４】
前記吸収性物品の長手方向両端の外形線は、前記サイドシートの吸収性物品中央側の側縁が位置する部分において、内側に膨出する窪み状に形成されている請求項１〜３いずれかに記載の吸収性物品。
【請求項５】
両側の前記サイドシート間において、前記吸収性物品の外形線が、前記サイドシートの吸収性物品中央側の側縁における長手方向の端点より長手方向の外方側に突出して形成され、この突出した部分に相対的に高剛性化された高剛性化領域が形成されている請求項１〜４いずれかに記載の吸収性物品。
【発明の詳細な説明】
【技術分野】
【０００１】
本発明は、生理用ナプキン、パンティライナー、失禁パッド等の吸収性物品に係り、詳しくは肌側の両側部にそれぞれ長手方向に沿って配設されたサイドシートの端部からの剥離を防止するため、長手方向両端の外形線に凹凸を設けた吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に、綿状パルプなどからなる吸収体を介在するとともに、肌側の両側部にそれぞれ前後方向に沿ってサイドシートを配設したものが知られている。
【０００３】
この種の吸収性物品にも幾多の改良が重ねられ、装着時の吸収性物品端部のヨレを防止し、装着感を向上するなどのため、例えば下記特許文献１に開示されるように、長手方向端縁の外形線が波状線からなる吸収性物品５０（図７）や、例えば下記特許文献２に開示されるように、長手方向端縁の外形線が外方側に膨出する湾曲線からなる吸収性物品６０（図８）などが存在する。
【先行技術文献】
【特許文献】
【０００４】
【特許文献１】特開２０１０−１１５５５８号公報
【特許文献２】特開２０１３−１７６４１２号公報
【発明の概要】
【発明が解決しようとする課題】
【０００５】
しかしながら、上記特許文献１、２記載の吸収性物品５０、６０では、図７及び図８に示されるように、前記サイドシート５１、６１の吸収性物品中央側の側縁における前後方向の端部５２、６２が、鋭角的に尖った形状で形成されているため、吸収性物品５０、６０の装着時に肌面と擦れることにより、この尖った端部５２、６２からサイドシート５１、６１が剥がれやすく、体液の漏れや装着感の悪化を招くおそれがあった。
【０００６】
そこで本発明の主たる課題は、吸収性物品の装着時に、サイドシートが吸収性物品中央側の側縁における長手方向の両端部から剥離するのを防止した吸収性物品を提供することにある。
【課題を解決するための手段】
【０００７】
上記課題を解決するために請求項１に係る本発明として、肌側の両側部にそれぞれ長手方向に沿ってサイドシートが配設された吸収性物品において、
前記サイドシートの吸収性物品中央側の側縁から側方側に離間した位置に、長手方向の全長に亘って接着部が設けられ、前記吸収性物品の長手方向両端部のそれぞれにおいて、前記サイドシートの吸収性物品中央側の側縁における長手方向の端点及び前記接着部の吸収性物品中央側の側縁における長手方向の端点を結んだ直線と、吸収性物品の長手方向線との成す角αが６５°以上で形成されていることを特徴とする吸収性物品が提供される。
【０００８】
上記請求項１記載の発明では、吸収性物品の長手方向両端部のそれぞにおいてれ、前記サイドシートの吸収性物品中央側の側縁における長手方向の端点及び前記接着部の吸収性物品中央側の端縁における長手方向の端点を結んだ直線と、吸収性物品の長手方向線との成す角αを６５°以上としている。すなわち、前記サイドシートの接着部より吸収性物品中央側に延在したサイドシート部分の長手方向の端縁が尖った鋭角的な形状で形成されていない。このため、吸収性物品の装着時に、サイドシートの長手方向両端部が肌面と擦れても剥がれにくく、体液の漏れや装着感が悪化するのが防止できる。
【０００９】
請求項２に係る本発明として、前記角αが９０°より大きい角度で形成されている請求項１記載の吸収性物品が提供される。
【００１０】
上記請求項２記載の発明では、前記角αを９０°より大きい角度で形成することにより、前記サイドシートの吸収性物品中央側の側縁における長手方向の両端部が鈍角的に形成され、サイドシートの端点より接着部の端点の方が長手方向の外方側に位置し、サイドシートの端点が内側に凹んだ位置に配置されるため、サイドシートの端点からの剥離がより確実に防止できるようになる。
【００１１】
請求項３に係る本発明として、前記サイドシートは、吸収性物品中央側の側縁から前記接着部までの間が非接着部とされている請求項１、２いずれかに記載の吸収性物品が提供される。
【００１２】
上記請求項３記載の発明では、透液性表面シートの表面を側方に流れる体液を前記サイドシートによって確実に塞き止めるため、前記サイドシートは、吸収性物品中央側の側縁から前記接着部までの間が非接着部となっている。このような非接着部を備えたサイドシートでは、吸収性物品中央側の長手方向両端部から剥離しやすくなるため、これを防止する手段として、本発明に係る構造を備えることが特に有効である。
【００１３】
請求項４に係る本発明として、前記吸収性物品の長手方向両端の外形線は、前記サイドシートの吸収性物品中央側の側縁が位置する部分において、内側に膨出する窪み状に形成されている請求項１〜３いずれかに記載の吸収性物品が提供される。
【００１４】
上記請求項４記載の発明では、前記吸収性物品の長手方向両端の外形線として、前記サイドシートの吸収性物品中央側の側縁が位置する部分において、内側に膨出する窪み状に形成しているため、サイドシートの吸収性物品中央側の側縁における長手方向の両端点が接着部より内側に窪んだ位置に配置され、より確実に端部からの剥離が防止できるようになる。
【００１５】
請求項５に係る本発明として、両側の前記サイドシート間において、前記吸収性物品の外形線が、前記サイドシートの吸収性物品中央側の側縁における長手方向の端点より長手方向の外方側に突出して形成され、この突出した部分に相対的に高剛性化された高剛性化領域が形成されている請求項１〜４いずれかに記載の吸収性物品が提供される。
【００１６】
上記請求項５記載の発明では、吸収性物品の全周シール部などの相対的に高剛性化された高剛性化領域が、両側の前記サイドシート間において、前記吸収性物品の外形線が、前記サイドシートの吸収性物品中央側の側縁における長手方向の端点より長手方向の外方側に突出した部分に形成されているため、脚圧などの幅方向両側から内側に向けた圧力が作用したとき、サイドシートの吸収性物品中央側の側縁における長手方向の両端点が前記高剛性化領域に押し上げられて剥がれやすくなるのが防止できる。
【発明の効果】
【００１７】
以上詳説のとおり本発明によれば、吸収性物品の装着時に、サイドシートの吸収性物品中央側の側縁における長手方向の両端部からの剥離が確実に防止できるようになる。
【図面の簡単な説明】
【００１８】
【図１】本発明に係る生理用ナプキン１の一部破断展開図である。
【図２】図１のII−II線矢視図である。
【図３】サイドシート７のナプキン中央側の側縁における後端部及びその近傍の拡大図である。
【図４】変形例に係る生理用ナプキン１の展開図である。
【図５】変形例に係る生理用ナプキン１を示す、(A)は長手方向端部の拡大平面図、(B)は(A)のB-B線矢視図である。
【図６】従来の生理用ナプキン６０を示す、(A)は長手方向端部の拡大平面図、(B)は(A)のB-B線矢視図である。
【図７】従来の生理用ナプキン５０を示す展開図である。
【図８】従来の生理用ナプキン６０を示す展開図である。
【発明を実施するための形態】
【００１９】
以下、本発明の実施の形態について図面を参照しながら詳述する。
【００２０】
〔生理用ナプキン１の基本構成〕
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙又は不織布などからなる被包シート５と、肌当接面側の両側部にそれぞれ長手方向に沿って配設されたサイドシート７、７とから構成されている。また、前記吸収体４の周囲において、そのナプキン長手方向の両端縁部では、所定領域において、前記不透液性裏面シート２と透液性表面シート３との外縁部がホットメルトなどの接着剤やヒートシール、超音波シール等の接着手段によって接合され、またその両側縁部では吸収体４の側縁よりも側方に延出している前記不透液性裏面シート２と前記サイドシート７とがホットメルトなどの接着剤やヒートシール、超音波シール等の接着手段によって接合され、外周に吸収体４の存在しない外周フラップ部が形成されている。
【００２１】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２２】
次いで、前記透液性表面シート３は、不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。また、融点の高い繊維を芯とし融点の低い繊維を鞘とした芯鞘型繊維やサイド−バイ−サイド型繊維、分割型繊維等の複合繊維を用いることができる。
【００２３】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するために被包シート５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００２４】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２５】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。
【００２６】
本例のように、吸収体４を囲繞する被包シート５を設ける場合には、結果的に透液性表面シート３と吸収体４との間に被包シート５が介在することになる。前記被包シート５がクレープ紙からなる場合には、吸収性に優れる前記被包シート５によって体液を速やかに拡散させるとともに、これら経血等の逆戻りを防止するようになる。
【００２７】
〔サイドシート７〕
本生理用ナプキン１の肌当接面側の両側部にはそれぞれ、長手方向に沿ってかつナプキン１のほぼ全長に亘ってサイドシート７、７が設けられている。本生理用ナプキン１では、前記サイドシート７、７が側方に延在されるとともに、同じく側方に延在された不透液性裏面シート２とによって、本体部分の両側部に吸収体４が介在しないフラップ部が形成されるとともに、側方に延在された前記サイドシート７の一部と不透液性裏面シート２の一部とによって外側に突出するウイング状フラップＷ、Ｗが形成されている。前記ウイング状フラップＷ、Ｗは、装着時に下着のクロッチ部分を巻き込むように、基端部の折り線ＲＬ（図１）にて外側に折り返して使用され、ウイング状フラップＷの不透液性裏面シート２の外面に備えられたズレ止め粘着剤層（図示せず）を下着の外面に貼着することにより、下着とのズレ止めを図るためのものである。
【００２８】
前記サイドシート７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。前記サイドシート７には、前記透液性表面シート３との融着を図るため、合成繊維を配合するのが好ましい。
【００２９】
前記サイドシート７の幅方向内方側は、図１及び図３に示されるように、前記透液性表面シート３の両側部の肌当接面側に配置され、これらサイドシート７と透液性表面シート３とがこれらの積層部分に設けられた接着部８において接合されている。具体的には、前記サイドシート７は、前記サイドシート７のナプキン中央側の側縁から側方側に所定の距離だけ離間した位置に、長手方向の全長に亘って設けられた接着部８によって透液性表面シート３に接合されている。
【００３０】
前記サイドシート７は、ナプキン中央側の側縁から前記接着部８までの間が、生理用ナプキン１の長手方向の全長に亘って、前記透液性表面シート３に接合されない非接着部９となっている。つまり、前記接着部８よりナプキン中央側のサイドシート７の部分は、全面に亘って透液性表面シート３に接合されず、透液性表面シート３の肌当接面側に積層されただけの状態で配置されている。
【００３１】
前記接着部８は、図示例のように、生理用ナプキン１の側縁に達しない所定の幅（例えば１〜１０ｍｍ程度）で形成してもよいし、生理用ナプキン１の側縁に亘る範囲に形成してもよい。前記接着部８としては、ホットメルト接着剤をスプレー、スロット、スパイラルなど適宜の方法で塗布することにより形成することができる。
【００３２】
前記非接着部９は、サイドシート７のナプキン中央側の側縁に沿って、生理用ナプキン１の全長に亘ってほぼ等幅で形成されている。その幅寸法は、０．５〜５ｍｍ、好ましくは１〜３ｍｍとするのがよい。
【００３３】
前記サイドシート７は、図３に示されるように、生理用ナプキン１の長手方向両端部のそれぞれにおいて、サイドシート７のナプキン中央側の側縁における長手方向の端点Ａ及び前記接着部８のナプキン中央側の側縁における長手方向の端点Ｂを結んだ直線Ｓと、生理用ナプキン１の長手方向線Ｌとの成す角αが６５°以上、好ましくは６５°〜１６０°、より好ましくは６５°〜１２０°、特に好ましくは９０°〜１２０°で形成されている。前記「ナプキン中央側」とは、図１に示されるように、生理用ナプキン１の長手方向中心線ＣＬに近い側のことである。
【００３４】
前記角αは、前記端点Ａ、Ｂを結んだ直線Ｓと、これに交差する前記サイドシート７のナプキン中央側の側縁を通る長手方向線Ｌとの成す角のうち、前記サイドシート７が配置された側に形成される角度である。
【００３５】
前記角αを６５°以上で形成することにより、サイドシート７の非接着部９の長手方向端縁が、生理用ナプキン１の長手方向線Ｌに対して尖った鋭角的な形状で形成されなくなる。このため、生理用ナプキン１の装着時に、サイドシート７の長手方向両端部が肌面との擦れにより剥離するのが防止できる。これに対して、従来の吸収性物品５０、６０では、図７及び図８に示されるように、前記角αが２３°や６３°と、６５°より小さい角度で形成されているため、接着部の端点より長手方向外方側に延出するサイドシート５１、６１の非接着部の長さが長くなりすぎて、この延出部分を起点としてサイドシート７が剥離しやすくなっていた。
【００３６】
前記サイドシート７は、ナプキン中央側の側縁以外の外形線が、生理用ナプキン１の外形線とほぼ一致している。すなわち、前記サイドシート７は、生理用ナプキン１の前後端部において、透液性表面シート３及び不透液性裏面シート２の肌側に積層されて生理用ナプキン１の前後端縁まで延在するとともに、生理用ナプキン１の両側部において、不透液性裏面シート２の肌側に積層されて生理用ナプキン１の側縁まで延在している。
【００３７】
前記サイドシート７の端点Ａと前記接着部８の端点Ｂとを結んだ直線Ｓを所定の角度で形成するには、図３に示されるように、生理用ナプキン１の前後端の外形線を所定の凹凸形状で形成することにより成すことができる。具体的には、生理用ナプキン１の長手方向両端の外形線の形状として、少なくとも前記サイドシート７のナプキン中央側の側縁が位置する部分に、内側に膨出する凹部１０を設けることにより窪み状に形成することができる。前記凹部１０は、前記サイドシート７のナプキン中央側の側縁における長手方向の端点Ａ及び前記接着部８のナプキン中央側の側縁における長手方向の端点Ｂを含む範囲に形成され、前記サイドシート７の端点Ａの方が前記接着部８の端点Ｂより前記凹部１０の頂部に近い位置に設けられるようにするのが好ましい。前記凹部１０は、図１に示されるように、前記サイドシート７の端点Ａが位置する部分にのみ設けてもよいし、図示しないが、それ以外の部分にも設けてもよい。
【００３８】
例えば、前記角αを９０°で形成した場合、生理用ナプキン１の長手方向端縁の外形線は、少なくとも前記サイドシート７のナプキン中央側の側縁及び前記接着部８のナプキン中央側の側縁が位置する部分において、生理用ナプキン１の長手方向線Ｌとほぼ直交する直線状に形成され、サイドシート７の端点Ａと接着部８の端点Ｂとが生理用ナプキン１の幅方向に並んで配置されるようになる。
【００３９】
また、前記角αを９０°より大きい角度で形成した場合、図４に示されるように、サイドシート７の端点Ａより接着部８の端点Ｂの方が長手方向の外方側に位置するようになり、サイドシート７の端点Ａが内側に凹んだ位置に配置されるため、サイドシート７の端点Ａからの剥離がより確実に防止できるようになる。換言すると、前記角αを９０°より大きい角度で形成することにより、前記サイドシート７の端点Ａが前記接着部８の端点Ｂより長手方向の内側に位置するため、装着時に肌面と接触して擦れても接着部８の端点Ｂでしっかりと押さえられ、サイドシート７の端点Ａを起点とした剥離が生じにくくなる。
【００４０】
前記角αを調整するには、前記サイドシート７の端点Ａに対応して設けられる前記凹部１０の半径や深さを調整することにより行うことができる。
【００４１】
前記サイドシート７の長手方向の前側端部及び後側端部は両方とも、前記直線Ｓと長手方向線Ｌとの成す角αが所定の角度で形成されている。これによって、サイドシート７の前側端部及び後側端部の両方においてサイドシート７の剥離が防止できる。前記角αは、前側端部と後側端部とでほぼ同じ角度としてもよいし、前述の所定の範囲内であれば異なる角度で形成してもよい。
【００４２】
図５(A)に示されるように、両側のサイドシート７、７間において、前記生理用ナプキン１の外形線が、前記サイドシート７のナプキン中央側の側縁における長手方向の端点Ａより長手方向の外方側に突出して形成され、この突出した部分に、透液性表面シート３及び不透液性裏面シート２が直接積層されたフラップ部の加熱圧着などによって生理用ナプキン１の全周シール部などの相対的に高剛性化された高剛性化領域１１が形成され、前記端点Ａより長手方向の内方側には前記高剛性化領域１１が形成されないようにするのが好ましい。すなわち、生理用ナプキン１の前端側及び後端側のそれぞれにおいて、左右の前記サイドシート７の端点Ａ、Ａ同士を結ぶ線Ｘを引いたとき、両側のサイドシート７、７間において前記高剛性化領域１１が前記線Ｘより長手方向の外方側に設けられ、前記線Ｘより長手方向の内方側には設けられないようにするのが好ましい。これにより、同図５(B)に示されるように、幅方向両側からの脚圧などを受けたとき、高剛性化領域１１の影響を受けることなく、高剛性化されていないサイドシート７、７間の部分が撓んで両側からの圧力を吸収するため、サイドシート７の非接着部９が押し上げられることがなく、透液性表面シート３に積層された状態が維持でき、サイドシート７の剥離が防止できる。これに対して、図６(A)に示されるように、従来の吸収性物品６０では、左右のサイドシート６１の端点６２、６２同士を結ぶ線Ｘを引いたとき、両側のサイドシート６１、６１間に設けられる高剛性化領域６３が前記線Ｘの線上に位置しているため、同図６(B)に示されるように、幅方向両側からの脚圧などを受けたとき、両側部が高剛性化領域６３の上側に押し上げられて、サイドシート６１の端点６２が肌側に突出するため、この端点６２を起点として剥離しやすくなる。
【００４３】
前記生理用ナプキン１を製造するには、次の行程で行うことができる。原反ロールから繰り出された不透液性裏面シート２の上面に所定の間隔を開けて吸収体４を配置する。その上面に、原反ロールから繰り出された透液性表面シート３を積層した後、前記透液性表面シート３の外面の所定位置に接着部８、８を設け、原反ロールから繰り出されたサイドシート７、７をそれぞれ前記接着部８に接着させながら両側部に配置するか、予め、原反ロールから繰り出された透液性表面シート３の所定位置に接着部８、８を設けるとともに、原反ロールから繰り出されたサイドシート７、７をそれぞれ前記接着部８に接着させながら前記透液性表面シート３の両側部に接合して一体化した透液性表面シート３及びサイドシート７、７を、前記吸収体４の上面に配置する。しかる後、前記不透液性裏面シート２、透液性表面シート３及びサイドシート７を、生理用ナプキン１の外形線に沿って一体的に裁断する。
【符号の説明】
【００４４】
１…生理用ナプキン、２…不透液性裏面シート、３…透液性表面シート、４…吸収体、５…被包シート、７…サイドシート、８…接着部、９…非接着部、１０…凹部
【図１】
2019041868.tif 000003
【図２】
2019041868.tif 000004
【図３】
2019041868.tif 000005
【図４】
2019041868.tif 000006
【図５】
2019041868.tif 000007
【図６】
2019041868.tif 000008
【図７】
2019041868.tif 000009
【図８】
2019041868.tif 000010
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
肌側の両側部にそれぞれ長手方向に沿ってサイドシートが配設された吸収性物品において、
前記サイドシートの吸収性物品中央側の側縁から側方側に離間した位置に、長手方向の全長に亘って接着部が設けられ、前記吸収性物品の長手方向両端部のそれぞれにおいて、前記サイドシートの吸収性物品中央側の側縁における長手方向の端点及び前記接着部の吸収性物品中央側の側縁における長手方向の端点を結んだ直線と、吸収性物品の長手方向線との成す角αが６５°以上で形成され、
両側の前記サイドシート間において、前記吸収性物品の外形線が、前記サイドシートの吸収性物品中央側の側縁における長手方向の端点より長手方向の外方側に突出して形成され、この突出した部分に相対的に高剛性化された高剛性化領域が形成され、前記端点より長手方向の内方側には前記高剛性化領域が形成されていないことを特徴とする吸収性物品。
【請求項２】
前記角αが９０°より大きい角度で形成されている請求項１記載の吸収性物品。
【請求項３】
前記サイドシートは、吸収性物品中央側の側縁から前記接着部までの間が非接着部とされている請求項１、２いずれかに記載の吸収性物品。
【請求項４】
前記吸収性物品の長手方向両端の外形線は、前記サイドシートの吸収性物品中央側の側縁が位置する部分において、内側に膨出する窪み状に形成されている請求項１〜３いずれかに記載の吸収性物品。
【手続補正２】
【補正対象書類名】明細書
【補正対象項目名】全文
【補正方法】変更
【補正の内容】
【発明の詳細な説明】
【技術分野】
【０００１】
本発明は、生理用ナプキン、パンティライナー、失禁パッド等の吸収性物品に係り、詳しくは肌側の両側部にそれぞれ長手方向に沿って配設されたサイドシートの端部からの剥離を防止するため、長手方向両端の外形線に凹凸を設けた吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に、綿状パルプなどからなる吸収体を介在するとともに、肌側の両側部にそれぞれ前後方向に沿ってサイドシートを配設したものが知られている。
【０００３】
この種の吸収性物品にも幾多の改良が重ねられ、装着時の吸収性物品端部のヨレを防止し、装着感を向上するなどのため、例えば下記特許文献１に開示されるように、長手方向端縁の外形線が波状線からなる吸収性物品５０（図７）や、例えば下記特許文献２に開示されるように、長手方向端縁の外形線が外方側に膨出する湾曲線からなる吸収性物品６０（図８）などが存在する。
【先行技術文献】
【特許文献】
【０００４】
【特許文献１】特開２０１０−１１５５５８号公報
【特許文献２】特開２０１３−１７６４１２号公報
【発明の概要】
【発明が解決しようとする課題】
【０００５】
しかしながら、上記特許文献１、２記載の吸収性物品５０、６０では、図７及び図８に示されるように、前記サイドシート５１、６１の吸収性物品中央側の側縁における前後方向の端部５２、６２が、鋭角的に尖った形状で形成されているため、吸収性物品５０、６０の装着時に肌面と擦れることにより、この尖った端部５２、６２からサイドシート５１、６１が剥がれやすく、体液の漏れや装着感の悪化を招くおそれがあった。
【０００６】
そこで本発明の主たる課題は、吸収性物品の装着時に、サイドシートが吸収性物品中央側の側縁における長手方向の両端部から剥離するのを防止した吸収性物品を提供することにある。
【課題を解決するための手段】
【０００７】
上記課題を解決するために請求項１に係る本発明として、肌側の両側部にそれぞれ長手方向に沿ってサイドシートが配設された吸収性物品において、
前記サイドシートの吸収性物品中央側の側縁から側方側に離間した位置に、長手方向の全長に亘って接着部が設けられ、前記吸収性物品の長手方向両端部のそれぞれにおいて、前記サイドシートの吸収性物品中央側の側縁における長手方向の端点及び前記接着部の吸収性物品中央側の側縁における長手方向の端点を結んだ直線と、吸収性物品の長手方向線との成す角αが６５°以上で形成され、
両側の前記サイドシート間において、前記吸収性物品の外形線が、前記サイドシートの吸収性物品中央側の側縁における長手方向の端点より長手方向の外方側に突出して形成され、この突出した部分に相対的に高剛性化された高剛性化領域が形成され、前記端点より長手方向の内方側には前記高剛性化領域が形成されていないことを特徴とする吸収性物品が提供される。
【０００８】
上記請求項１記載の発明では、吸収性物品の長手方向両端部のそれぞれにおいて、前記サイドシートの吸収性物品中央側の側縁における長手方向の端点及び前記接着部の吸収性物品中央側の端縁における長手方向の端点を結んだ直線と、吸収性物品の長手方向線との成す角αを６５°以上としている。すなわち、前記サイドシートの接着部より吸収性物品中央側に延在したサイドシート部分の長手方向の端縁が尖った鋭角的な形状で形成されていない。このため、吸収性物品の装着時に、サイドシートの長手方向両端部が肌面と擦れても剥がれにくく、体液の漏れや装着感が悪化するのが防止できる。
【０００９】
また、本発明では、吸収性物品の全周シール部などの相対的に高剛性化された高剛性化領域が、両側の前記サイドシート間において、前記吸収性物品の外形線が、前記サイドシートの吸収性物品中央側の側縁における長手方向の端点より長手方向の外方側に突出した部分に形成され、前記端点より長手方向の内方側には前記高剛性化領域が形成されていないため、脚圧などの幅方向両側から内側に向けた圧力が作用したとき、サイドシートの吸収性物品中央側の側縁における長手方向の両端点が前記高剛性化領域に押し上げられて剥がれやすくなるのが防止できる。
【００１０】
請求項２に係る本発明として、前記角αが９０°より大きい角度で形成されている請求項１記載の吸収性物品が提供される。
【００１１】
上記請求項２記載の発明では、前記角αを９０°より大きい角度で形成することにより、前記サイドシートの吸収性物品中央側の側縁における長手方向の両端部が鈍角的に形成され、サイドシートの端点より接着部の端点の方が長手方向の外方側に位置し、サイドシートの端点が内側に凹んだ位置に配置されるため、サイドシートの端点からの剥離がより確実に防止できるようになる。
【００１２】
請求項３に係る本発明として、前記サイドシートは、吸収性物品中央側の側縁から前記接着部までの間が非接着部とされている請求項１、２いずれかに記載の吸収性物品が提供される。
【００１３】
上記請求項３記載の発明では、透液性表面シートの表面を側方に流れる体液を前記サイドシートによって確実に塞き止めるため、前記サイドシートは、吸収性物品中央側の側縁から前記接着部までの間が非接着部となっている。このような非接着部を備えたサイドシートでは、吸収性物品中央側の長手方向両端部から剥離しやすくなるため、これを防止する手段として、本発明に係る構造を備えることが特に有効である。
【００１４】
請求項４に係る本発明として、前記吸収性物品の長手方向両端の外形線は、前記サイドシートの吸収性物品中央側の側縁が位置する部分において、内側に膨出する窪み状に形成されている請求項１〜３いずれかに記載の吸収性物品が提供される。
【００１５】
上記請求項４記載の発明では、前記吸収性物品の長手方向両端の外形線として、前記サイドシートの吸収性物品中央側の側縁が位置する部分において、内側に膨出する窪み状に形成しているため、サイドシートの吸収性物品中央側の側縁における長手方向の両端点が接着部より内側に窪んだ位置に配置され、より確実に端部からの剥離が防止できるようになる。
【発明の効果】
【００１６】
以上詳説のとおり本発明によれば、吸収性物品の装着時に、サイドシートの吸収性物品中央側の側縁における長手方向の両端部からの剥離が確実に防止できるようになる。
【図面の簡単な説明】
【００１７】
【図１】本発明に係る生理用ナプキン１の一部破断展開図である。
【図２】図１のII−II線矢視図である。
【図３】サイドシート７のナプキン中央側の側縁における後端部及びその近傍の拡大図である。
【図４】変形例に係る生理用ナプキン１の展開図である。
【図５】変形例に係る生理用ナプキン１を示す、(A)は長手方向端部の拡大平面図、(B)は(A)のB-B線矢視図である。
【図６】従来の生理用ナプキン６０を示す、(A)は長手方向端部の拡大平面図、(B)は(A)のB-B線矢視図である。
【図７】従来の生理用ナプキン５０を示す展開図である。
【図８】従来の生理用ナプキン６０を示す展開図である。
【発明を実施するための形態】
【００１８】
以下、本発明の実施の形態について図面を参照しながら詳述する。
【００１９】
〔生理用ナプキン１の基本構成〕
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙又は不織布などからなる被包シート５と、肌当接面側の両側部にそれぞれ長手方向に沿って配設されたサイドシート７、７とから構成されている。また、前記吸収体４の周囲において、そのナプキン長手方向の両端縁部では、所定領域において、前記不透液性裏面シート２と透液性表面シート３との外縁部がホットメルトなどの接着剤やヒートシール、超音波シール等の接着手段によって接合され、またその両側縁部では吸収体４の側縁よりも側方に延出している前記不透液性裏面シート２と前記サイドシート７とがホットメルトなどの接着剤やヒートシール、超音波シール等の接着手段によって接合され、外周に吸収体４の存在しない外周フラップ部が形成されている。
【００２０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２１】
次いで、前記透液性表面シート３は、不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。また、融点の高い繊維を芯とし融点の低い繊維を鞘とした芯鞘型繊維やサイド−バイ−サイド型繊維、分割型繊維等の複合繊維を用いることができる。
【００２２】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するために被包シート５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００２３】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２４】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。
【００２５】
本例のように、吸収体４を囲繞する被包シート５を設ける場合には、結果的に透液性表面シート３と吸収体４との間に被包シート５が介在することになる。前記被包シート５がクレープ紙からなる場合には、吸収性に優れる前記被包シート５によって体液を速やかに拡散させるとともに、これら経血等の逆戻りを防止するようになる。
【００２６】
〔サイドシート７〕
本生理用ナプキン１の肌当接面側の両側部にはそれぞれ、長手方向に沿ってかつナプキン１のほぼ全長に亘ってサイドシート７、７が設けられている。本生理用ナプキン１では、前記サイドシート７、７が側方に延在されるとともに、同じく側方に延在された不透液性裏面シート２とによって、本体部分の両側部に吸収体４が介在しないフラップ部が形成されるとともに、側方に延在された前記サイドシート７の一部と不透液性裏面シート２の一部とによって外側に突出するウイング状フラップＷ、Ｗが形成されている。前記ウイング状フラップＷ、Ｗは、装着時に下着のクロッチ部分を巻き込むように、基端部の折り線ＲＬ（図１）にて外側に折り返して使用され、ウイング状フラップＷの不透液性裏面シート２の外面に備えられたズレ止め粘着剤層（図示せず）を下着の外面に貼着することにより、下着とのズレ止めを図るためのものである。
【００２７】
前記サイドシート７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。前記サイドシート７には、前記透液性表面シート３との融着を図るため、合成繊維を配合するのが好ましい。
【００２８】
前記サイドシート７の幅方向内方側は、図１及び図３に示されるように、前記透液性表面シート３の両側部の肌当接面側に配置され、これらサイドシート７と透液性表面シート３とがこれらの積層部分に設けられた接着部８において接合されている。具体的には、前記サイドシート７は、前記サイドシート７のナプキン中央側の側縁から側方側に所定の距離だけ離間した位置に、長手方向の全長に亘って設けられた接着部８によって透液性表面シート３に接合されている。
【００２９】
前記サイドシート７は、ナプキン中央側の側縁から前記接着部８までの間が、生理用ナプキン１の長手方向の全長に亘って、前記透液性表面シート３に接合されない非接着部９となっている。つまり、前記接着部８よりナプキン中央側のサイドシート７の部分は、全面に亘って透液性表面シート３に接合されず、透液性表面シート３の肌当接面側に積層されただけの状態で配置されている。
【００３０】
前記接着部８は、図示例のように、生理用ナプキン１の側縁に達しない所定の幅（例えば１〜１０ｍｍ程度）で形成してもよいし、生理用ナプキン１の側縁に亘る範囲に形成してもよい。前記接着部８としては、ホットメルト接着剤をスプレー、スロット、スパイラルなど適宜の方法で塗布することにより形成することができる。
【００３１】
前記非接着部９は、サイドシート７のナプキン中央側の側縁に沿って、生理用ナプキン１の全長に亘ってほぼ等幅で形成されている。その幅寸法は、０．５〜５ｍｍ、好ましくは１〜３ｍｍとするのがよい。
【００３２】
前記サイドシート７は、図３に示されるように、生理用ナプキン１の長手方向両端部のそれぞれにおいて、サイドシート７のナプキン中央側の側縁における長手方向の端点Ａ及び前記接着部８のナプキン中央側の側縁における長手方向の端点Ｂを結んだ直線Ｓと、生理用ナプキン１の長手方向線Ｌとの成す角αが６５°以上、好ましくは６５°〜１６０°、より好ましくは６５°〜１２０°、特に好ましくは９０°〜１２０°で形成されている。前記「ナプキン中央側」とは、図１に示されるように、生理用ナプキン１の長手方向中心線ＣＬに近い側のことである。
【００３３】
前記角αは、前記端点Ａ、Ｂを結んだ直線Ｓと、これに交差する前記サイドシート７のナプキン中央側の側縁を通る長手方向線Ｌとの成す角のうち、前記サイドシート７が配置された側に形成される角度である。
【００３４】
前記角αを６５°以上で形成することにより、サイドシート７の非接着部９の長手方向端縁が、生理用ナプキン１の長手方向線Ｌに対して尖った鋭角的な形状で形成されなくなる。このため、生理用ナプキン１の装着時に、サイドシート７の長手方向両端部が肌面との擦れにより剥離するのが防止できる。これに対して、従来の吸収性物品５０、６０では、図７及び図８に示されるように、前記角αが２３°や６３°と、６５°より小さい角度で形成されているため、接着部の端点より長手方向外方側に延出するサイドシート５１、６１の非接着部の長さが長くなりすぎて、この延出部分を起点としてサイドシート７が剥離しやすくなっていた。
【００３５】
前記サイドシート７は、ナプキン中央側の側縁以外の外形線が、生理用ナプキン１の外形線とほぼ一致している。すなわち、前記サイドシート７は、生理用ナプキン１の前後端部において、透液性表面シート３及び不透液性裏面シート２の肌側に積層されて生理用ナプキン１の前後端縁まで延在するとともに、生理用ナプキン１の両側部において、不透液性裏面シート２の肌側に積層されて生理用ナプキン１の側縁まで延在している。
【００３６】
前記サイドシート７の端点Ａと前記接着部８の端点Ｂとを結んだ直線Ｓを所定の角度で形成するには、図３に示されるように、生理用ナプキン１の前後端の外形線を所定の凹凸形状で形成することにより成すことができる。具体的には、生理用ナプキン１の長手方向両端の外形線の形状として、少なくとも前記サイドシート７のナプキン中央側の側縁が位置する部分に、内側に膨出する凹部１０を設けることにより窪み状に形成することができる。前記凹部１０は、前記サイドシート７のナプキン中央側の側縁における長手方向の端点Ａ及び前記接着部８のナプキン中央側の側縁における長手方向の端点Ｂを含む範囲に形成され、前記サイドシート７の端点Ａの方が前記接着部８の端点Ｂより前記凹部１０の頂部に近い位置に設けられるようにするのが好ましい。前記凹部１０は、図１に示されるように、前記サイドシート７の端点Ａが位置する部分にのみ設けてもよいし、図示しないが、それ以外の部分にも設けてもよい。
【００３７】
例えば、前記角αを９０°で形成した場合、生理用ナプキン１の長手方向端縁の外形線は、少なくとも前記サイドシート７のナプキン中央側の側縁及び前記接着部８のナプキン中央側の側縁が位置する部分において、生理用ナプキン１の長手方向線Ｌとほぼ直交する直線状に形成され、サイドシート７の端点Ａと接着部８の端点Ｂとが生理用ナプキン１の幅方向に並んで配置されるようになる。
【００３８】
また、前記角αを９０°より大きい角度で形成した場合、図４に示されるように、サイドシート７の端点Ａより接着部８の端点Ｂの方が長手方向の外方側に位置するようになり、サイドシート７の端点Ａが内側に凹んだ位置に配置されるため、サイドシート７の端点Ａからの剥離がより確実に防止できるようになる。換言すると、前記角αを９０°より大きい角度で形成することにより、前記サイドシート７の端点Ａが前記接着部８の端点Ｂより長手方向の内側に位置するため、装着時に肌面と接触して擦れても接着部８の端点Ｂでしっかりと押さえられ、サイドシート７の端点Ａを起点とした剥離が生じにくくなる。
【００３９】
前記角αを調整するには、前記サイドシート７の端点Ａに対応して設けられる前記凹部１０の半径や深さを調整することにより行うことができる。
【００４０】
前記サイドシート７の長手方向の前側端部及び後側端部は両方とも、前記直線Ｓと長手方向線Ｌとの成す角αが所定の角度で形成されている。これによって、サイドシート７の前側端部及び後側端部の両方においてサイドシート７の剥離が防止できる。前記角αは、前側端部と後側端部とでほぼ同じ角度としてもよいし、前述の所定の範囲内であれば異なる角度で形成してもよい。
【００４１】
図５(A)に示されるように、両側のサイドシート７、７間において、前記生理用ナプキン１の外形線が、前記サイドシート７のナプキン中央側の側縁における長手方向の端点Ａより長手方向の外方側に突出して形成され、この突出した部分に、透液性表面シート３及び不透液性裏面シート２が直接積層されたフラップ部の加熱圧着などによって生理用ナプキン１の全周シール部などの相対的に高剛性化された高剛性化領域１１が形成され、前記端点Ａより長手方向の内方側には前記高剛性化領域１１が形成されないようにするのが好ましい。すなわち、生理用ナプキン１の前端側及び後端側のそれぞれにおいて、左右の前記サイドシート７の端点Ａ、Ａ同士を結ぶ線Ｘを引いたとき、両側のサイドシート７、７間において前記高剛性化領域１１が前記線Ｘより長手方向の外方側に設けられ、前記線Ｘより長手方向の内方側には設けられないようにするのが好ましい。これにより、同図５(B)に示されるように、幅方向両側からの脚圧などを受けたとき、高剛性化領域１１の影響を受けることなく、高剛性化されていないサイドシート７、７間の部分が撓んで両側からの圧力を吸収するため、サイドシート７の非接着部９が押し上げられることがなく、透液性表面シート３に積層された状態が維持でき、サイドシート７の剥離が防止できる。これに対して、図６(A)に示されるように、従来の吸収性物品６０では、左右のサイドシート６１の端点６２、６２同士を結ぶ線Ｘを引いたとき、両側のサイドシート６１、６１間に設けられる高剛性化領域６３が前記線Ｘの線上に位置しているため、同図６(B)に示されるように、幅方向両側からの脚圧などを受けたとき、両側部が高剛性化領域６３の上側に押し上げられて、サイドシート６１の端点６２が肌側に突出するため、この端点６２を起点として剥離しやすくなる。
【００４２】
前記生理用ナプキン１を製造するには、次の行程で行うことができる。原反ロールから繰り出された不透液性裏面シート２の上面に所定の間隔を開けて吸収体４を配置する。その上面に、原反ロールから繰り出された透液性表面シート３を積層した後、前記透液性表面シート３の外面の所定位置に接着部８、８を設け、原反ロールから繰り出されたサイドシート７、７をそれぞれ前記接着部８に接着させながら両側部に配置するか、予め、原反ロールから繰り出された透液性表面シート３の所定位置に接着部８、８を設けるとともに、原反ロールから繰り出されたサイドシート７、７をそれぞれ前記接着部８に接着させながら前記透液性表面シート３の両側部に接合して一体化した透液性表面シート３及びサイドシート７、７を、前記吸収体４の上面に配置する。しかる後、前記不透液性裏面シート２、透液性表面シート３及びサイドシート７を、生理用ナプキン１の外形線に沿って一体的に裁断する。
【符号の説明】
【００４３】
１…生理用ナプキン、２…不透液性裏面シート、３…透液性表面シート、４…吸収体、５…被包シート、７…サイドシート、８…接着部、９…非接着部、１０…凹部